【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】  単離されたポリヌクレオチドであって、以下の：
（ａ）ポリヌクレオチドであって、以下の：配列番号２、４、６、８、１０、１２、１４、１６或いはそれらのフラグメント又はアナログ、を含む配列を有する第２のポリペプチドに対する少なくとも７０％の同一性を有するポリペプチドをコードする前記ポリヌクレオチド；
（ｂ）ポリヌクレオチドであって、以下の：配列番号２、４、６、８、１０、１２、１４、１６或いはそれらのフラグメント又はアナログ、を含む配列を有する第２のポリペプチドに対する少なくとも９５％の同一性を有するポリペプチドをコードする前記ポリヌクレオチド；
（ｃ）ポリヌクレオチドであって、以下の：配列番号２、４、６、８、１０、１２、１４、１６或いはそれらのフラグメント又はアナログ、から選ばれる配列を含むポリペプチドをコードする、前記ポリヌクレオチド；
（ｄ）ポリヌクレオチドであって、以下の：配列番号２、４、６、８、１０、１２、１４、１６或いはそれらのフラグメント又はアナログを含む配列を有するポリペプチドに対する結合特異性を有する抗体を産生することのできるポリペプチドをコードする、前記ポリヌクレオチド；
（ｅ）ポリヌクレオチドであって、以下の：配列番号２、４、６、８、１０、１２、１４、１６或いはそれらのフラグメント又はアナログ、から選ばれる配列を有するポリペプチドの部分を含むエピトープをコードする、前記ポリヌクレオチド；
（ｆ）（ａ）、（ｂ）、（ｃ）、（ｄ）、又は（ｅ）に記載のポリヌクレオチドに対して相補的なポリヌクレオチド；
から選ばれるポリヌクレオチドを含む前記ポリヌクレオチド。
【請求項２】  単離されたポリヌクレオチドであって、以下の：
（ａ）ポリヌクレオチドであって、以下の：配列番号２、４、６、８、１０、１２、１４、又は１６を含む配列を有する第２のポリペプチドに対する少なくとも７０％の相同性を有するポリペプチドをコードする、前記ポリヌクレオチド；
（ｂ）ポリヌクレオチドであって、以下の：配列番号２、４、６、８、１０、１２、１４又は１６を含む配列を有する第２のポリペプチドに対する少なくとも９５％の相同性を有するポリペプチドをコードする、前記ポリヌクレオチド；
（ｃ）ポリヌクレオチドであって、以下の：配列番号２、４、６、８、１０、１２、１４又は１６、から選ばれる配列を含むポリペプチドをコードする、前記ポリヌクレオチド；
（ｄ）ポリヌクレオチドであって、以下の：配列番号２、４、６、８、１０、１２、１４、又は１６を含む配列を有するポリペプチドに対する結合特異性を有する抗体を産生することのできるポリペプチドをコードする、前記ポリヌクレオチド；
（ｅ）ポリヌクレオチドであって、以下の：配列番号２、４、６、８、１０、１２、１４又は１６から選ばれる配列を有するポリペプチドの部分を含むエピトープをコードする、前記ポリヌクレオチド；
（ｆ）（ａ）、（ｂ）、（ｃ）、（ｄ）、又は（ｅ）に記載のポリヌクレオチドに対して相補的なポリヌクレオチド；
から選ばれるポリヌクレオチドを含む前記ポリヌクレオチド。
【請求項３】  前記ポリヌクレオチドがＤＮＡである、請求項１に記載の上記ポリヌクレオチド。
【請求項４】  前記ポリヌクレオチドがＤＮＡである、請求項２に記載の上記ポリヌクレオチド。
【請求項５】  前記ポリヌクレオチドがＲＮＡである、請求項１に記載の上記ポリヌクレオチド。
【請求項６】  前記ポリヌクレオチドがＲＮＡである、請求項２に記載の上記ポリヌクレオチド。
【請求項７】  請求項１に記載の上記ポリヌクレオチドであって、ストリンジェントな条件下で以下の：
（ａ）ポリペプチドをコードするＤＮＡ配列、又は
（ｂ）ポリペプチドをコードするＤＮＡ配列の相補的配列であって、ここで前記ポリペプチドが配列番号２、４、６、８、１０、１２、１４、１６或いはそのフラグメント又はアナログを含む、前記配列、
のいずれかにハイブリダイズする、前記ポリヌクレオチド。
【請求項８】  請求項２に記載の上記ポリヌクレオチドであって、ストリンジェントな条件下で以下の：
（ａ）ポリペプチドをコードするＤＮＡ配列、又は
（ｂ）ポリペプチドをコードするＤＮＡ配列の相補的配列であって、ここで前記ポリペプチドが配列番号２、４、６、８、１０、１２、１４、１６を含む、前記配列、
のいずれかにハイブリダイズする、前記ポリヌクレオチド。
【請求項９】  請求項１に記載の上記ポリヌクレオチドであって、ストリンジェントな条件下で以下の：
（ａ）ポリペプチドをコードするＤＮＡ配列、又は
（ｂ）ポリペプチドをコードするＤＮＡ配列の相補的配列であって、ここで前記ポリペプチドが、配列番号２、４、６、８、１０、１２、１４、１６或いはそのフラグメント又はアナログを含むポリペプチドからの近接するアミノ酸残基を少なくとも１０含む、前記配列、
のいずれかにハイブリダイズする、前記ポリヌクレオチド。
【請求項１０】  請求項２に記載の上記ポリヌクレオチドであって、ストリンジェントな条件下で以下の：
（ａ）ポリペプチドをコードするＤＮＡ配列、又は
（ｂ）ポリペプチドをコードするＤＮＡ配列の相補的配列であって、ここで前記ポリペプチドが、配列番号２、４、６、８、１０、１２、１４、１６を含むポリペプチドからの近接するアミノ酸残基を少なくとも１０含む、前記配列、
のいずれかにハイブリダイズする、前記ポリペプチド。
【請求項１１】  請求項１に記載の上記ポリヌクレオチドを含むベクターであって、ここで前記ＤＮＡが作働可能であるように発現コントロール領域に連結される、前記ベクター。
【請求項１２】  請求項２に記載の上記ポリヌクレオチドを含むベクターであって、ここで前記ＤＮＡが、作働可能であるように発現コントロール領域に連結される、前記ベクター。
【請求項１３】  請求項１１に記載の上記ベクターにより形質移入された宿主細胞。
【請求項１４】  請求項１２に記載の上記ベクターにより形質移入された宿主細胞。
【請求項１５】  ポリペプチドを生産するための方法であって、前記ポリペプチドの発現に好適な条件下で、請求項１３に記載の宿主細胞を培養することを含む、前記方法。
【請求項１６】  ポリペプチドを生産するための方法であって、前記ポリペプチドの発現に好適な条件下で、請求項１４に記載の宿主細胞を培養することを含む、前記方法。
【請求項１７】  単離されたポリペプチドであって、以下の：
（ａ）ポリペプチドであって、以下の：配列番号２、４、６、８、１０、１２、１４、１６或いはそのフラグメント又はアナログを含むアミノ酸配列を有する第２のポリペプチドに対する少なくとも７０％の同一性を有する、前記ポリペプチド；
（ｂ）ポリペプチドであって、以下の：配列番号２、４、６、８、１０、１２、１４、１６或いはそのフラグメント又はアナログを含むアミノ酸配列を有する第２のポリペプチドに対する少なくとも９５％の同一性を有する、前記ポリペプチド；
（ｃ）ポリペプチドであって、以下の：配列番号２、４、６、８、１０、１２、１４、１６或いはそのフラグメント又はアナログ、から選ばれる配列を含む、前記ポリペプチド；
（ｄ）ポリペプチドであって、以下の：配列番号２、４、６、８、１０、１２、１４、１６、或いはそのフラグメント又はアナログ、から選ばれる配列を有するポリペプチドに対する結合特異性を有する抗体を産生することのできる、前記ポリペプチド；
（ｅ）エピトープであって、以下の：配列番号２、４、６、８、１０、１２、１４、１６或いはそのフラグメント又はアナログ、から選ばれる配列を有するポリペプチドの部分を含む、前記エピトープ；
（ｆ）Ｎ−末端のＭｅｔ残基が欠失されている、（ａ）、（ｂ）、（ｃ）、（ｄ）又は（ｅ）に記載のポリペプチド；
（ｇ）分泌アミノ酸配列が欠失されている、（ａ）、（ｂ）、（ｃ）、（ｄ）、又は（ｅ）に記載のポリペプチド；
から選ばれるポリペプチドを含む、前記ポリペプチド。
【請求項１８】  単離されたポリペプチドであって、以下の：
（ａ）ポリペプチドであって、以下の：配列番号２、４、６、８、１０、１２、１４又は１６を含むアミノ酸配列を有する第２のポリペプチドに対する少なくとも７０％の同一性を有する、前記ポリペプチド；
（ｂ）ポリペプチドであって、以下の：配列番号２、４、６、８、１０、１２、１４又は１６を含むアミノ酸配列を有する第２のポリペプチドに対する少なくとも９５％の同一性を有する、前記ポリペプチド；
（ｃ）以下の：配列番号２、４、６、８、１０、１２、１４又は１６、から選ばれる配列を含む、ポリペプチド；
（ｄ）ポリペプチドであって、以下の：配列番号２、４、６、８、１０、１２、１４又は１６から選ばれる配列を有するポリペプチドに対する結合特異性を有する抗体を産生することのできる、前記ポリペプチド；
（ｅ）エピトープであって、以下の：配列番号２、４、６、８、１０、１２、１４又は１６、から選ばれる配列を有するポリペプチドの部分を含む、前記エピトープ；
（ｆ）Ｎ−末端のＭｅｔ残基が欠失されている、（ａ）、（ｂ）、（ｃ）、（ｄ）又は（ｅ）に記載のポリペプチド；
（ｇ）分泌アミノ酸配列が欠失されている、（ａ）、（ｂ）、（ｃ）、（ｄ）、又は（ｅ）に記載のポリペプチド；
から選ばれるポリペプチドを含む、前記ポリペプチド。
【請求項１９】  キメラのポリペプチドであって、以下の：配列番号２、４、６、８、１０、１２、１４、１６或いはそのフラグメント又はアナログ、から選ばれる配列を有する２又はそれを越えるポリペプチドを含み、上記ポリペプチドがキメラのポリペプチドを形成するように連結されるという条件下の、前記ポリペプチド。
【請求項２０】  キメラのポリペプチドであって、以下の：配列番号２、４、６、８、１０、１２、１４、１６、から選ばれる配列を有する２又はそれを越えるポリペプチドを含み、上記ポリペプチドがキメラのポリペプチドを形成するように連結されるという条件下の、前記ポリペプチド。
【請求項２１】  請求項１７〜２０のいずれか１項に記載のポリペプチド及び薬剤として許容できる担体、希釈剤又はアジュバントを含む、医薬組成物。
【請求項２２】  咽頭炎、丹毒及び膿痂疹、猩紅熱並びに菌血症及び壊死性の筋膜炎のような侵入型の疾患そしてまた毒素ショックにかかっている疑いのある宿主における、咽頭炎、丹毒及び膿痂疹、猩紅熱並びに菌血症及び壊死性の筋膜炎のような侵入型の疾患の治療的又は予防的処置のための医薬組成物であって、請求項１７〜２０のいずれか１項に記載のポリペプチドの治療的又は予防的な量及び薬剤として許容できる担体、希釈剤又はアジュバントを含む、前記医薬組成物。
【請求項２３】  ストレプトコッカス・ピオゲネス感染の疑いのある宿主における、ストレプトコッカス・ピオゲネス細菌感染の治療的又は予防的処置のための医薬組成物であって、請求項１７〜２０のいずれか１項に記載のポリペプチドの治療的又は予防的な量及び薬剤として許容できる担体、希釈剤又はアジュバントを含む、前記医薬組成物。
【請求項２４】  ストレプトコッカス感染の疑いのある宿主における、ストレプトコッカス細菌感染の診断のための請求項２１に記載の医薬組成物。
【請求項２５】  ストレプトコッカス感染の疑いのある宿主におけるストレプトコッカス感染の診断のための方法であって、以下の：
（ａ）生物学的サンプルを宿主から得ること；
（ｂ）請求項１７〜２０のいずれか１項に記載のストレプトコッカスのポリペプチドと反応しうる抗体又はそのフラグメントと生物学的サンプルとの混合物を形成するために、両者をインキュベートすること；
（ｃ）ストレプトコッカスの存在を示す、上記混合物中の特異的に結合した抗体又は結合したそのフラグメントを検出すること；
を含む、前記方法。
【請求項２６】  ストレプトコッカス感染の疑いのある宿主におけるストレプトコッカス感染の診断のための方法であって、以下の：
（ａ）生物学的サンプルを宿主から得ること；
（ｂ）請求項１７〜２０のいずれか１項に記載のストレプトコッカスのポリペプチドの１又はそれを越えるもの又はそのフラグメントと生物学的サンプルとの混合物を形成するために、両者をインキュベートすること；
（ｃ）ストレプトコッカスに特異的な抗体の存在を示す、上記混合物中の特異的に結合した抗原又は結合したフラグメントを検出すること；
を含む、前記方法。
【請求項２７】  ストレプトコッカス感染の疑いのある宿主におけるストレプトコッカス細菌感染の予防的又は治療的処置のための、請求項２２に記載の医薬組成物。
【請求項２８】  請求項１７〜２０のいずれか１項に記載のポリペプチドを含む、ストレプトコッカス感染の検出又は診断のためのキット。